(57)【要約】【課題】パネル構造体を前扉の裏面に開閉不能に取り付ける作業の容易化を図る。【解決手段】パネル構造体１０が作業者で支持され、前パネル１１が前扉４の裏面に向けられ、取付部３４が左側に配置され、被捕捉部３５が右側に配置され、パネル構造体１０が前扉４の裏面に近づけられ、取付部３４が右側からパネル後側押出部３１とパネル前側受止部３２との間の隙間に差し込まれることによって、パネル構造体１０が左側部を中心とし前扉４の裏側で後側に開かれかつ前側に閉じられるように前扉４の裏面に設けられた状態になり、その状態において、パネル構造体１０が裏側から前側に押されるだけで、捕捉機構３３が被捕捉部３５を捕捉し、パネル構造体１０が窓９を塞いで前扉４の裏面に開閉不能に取り付けられる。【選択図】図１
2007236501.tif 000002
【特許請求の範囲】
【請求項１】
窓が前扉に前後方向に貫通するように形成され、前扉の裏面にはパネル構造体が左側部を中心とし前扉の裏側で後側に開かれかつ前側に閉じられるように設けられ、パネル構造体が前扉の裏側で閉じられることによって窓を塞ぐ構造であって、前扉の裏面には捕捉機構または被捕捉部が設けられ、パネル構造体には被捕捉部または捕捉機構が設けられ、パネル構造体が前扉の裏側で前側に閉じられる場合に、前扉の捕捉機構または被捕捉部がパネル構造体の被捕捉部または捕捉機構を捕捉し、パネル構造体が前扉の裏面に開閉不能に取り付けられたことを特徴とする遊技機枠のパネル枠取付装置。
【発明の詳細な説明】
【技術分野】
【０００１】
本発明は、パネル構造体の開閉作業が容易な遊技機枠のパネル枠取付装置に関する。
【背景技術】
【０００２】
図１３を参照し、公知のパチンコ遊技機の遊技機枠１の構造について説明する。遊技機枠１、固定枠２の前側に可動枠３を開閉可能に備え、可動枠３の前側に前扉４および皿構造体５を開閉可能に備える。固定枠２は、パチンコ遊技機を設置する遊技店の島と呼ばれる遊技機設置構造体に固定される外枠とも呼ばれる。可動枠３は、左側に位置するヒンジ６を中心とし、固定枠２の前側で前側に開かれかつ後側に閉じられるように、片開き可能であって、球発射機構７、施錠装置８、図外の球払出機構、図外の遊技盤や図外の制御装置など遊技に必要な部品を取り付ける前枠とも呼ばれる。前扉４は、左側に位置する図外のヒンジを中心とし、可動枠３の前側で前側に開かれかつ後側に閉じられるように、片開き可能であって、パネル枠とも呼ばれ、前後方向に貫通する窓９を備える。窓９は、パネル構造体１０で塞がれる。パネル構造体１０は、前パネル１１と後パネル１２とが互いに前後方向に隙間を介在させるように相対峙してフレーム１３で支持された形態である。前パネル１１および後パネル１２は、ガラスまたは合成樹脂などの光透過性を有する無色な板状の部材により形成される。皿構造体５は、左側に位置する図外のヒンジを中心とし、可動枠３の前側で前側に開かれかつ後側に閉じられるように、片開き可能であって、皿構造体５の前面に、球受皿部１４および球発射操作機構１５を備える。パネル構造体１０は、前扉４の裏面に、次のように取り付けられている。一例としては、装着溝が前扉４の裏面に設けられ、装着突起がフレーム１３に設けられ、パネル構造体１０が前扉４の裏側から前扉４の裏面に近づけられ、装着突起が装着溝に嵌め込まれた後、パネル構造体１０が窓９の周方向に沿うように左方向または右方向に回転されることによって、パネル構造体１０が前扉４の裏面に取り付けられる。別の例としては、扉側ヒンジおよびロック機構が前扉４の裏面に設けられ、パネル側ヒンジおよびロック受止部がフレーム１３に設けられ、パネル構造体１０が前扉４の裏側から前扉４の裏面に近づけられ、パネル側ヒンジが扉側ヒンジに連結され、前パネル１１が前扉４の裏面に近づくように前側に押された後、ロック機構が作業者による操作でロック受止部に係合されることによって、パネル構造体１０が前扉４の裏面に取り付けられる。さらに別の例としては、複数のボルトが前扉４の裏側に突出するように前扉４の裏面に設けられ、複数の取付孔部がフレーム１３に設けられ、パネル構造体１０が前扉４の裏側から前扉４の裏面に近づけられ、複数の取付孔部が複数のボルトに個別に挿入された後、ナットが複数の取付孔部よりも裏側に突出した複数のボルトにパネル構造体１０の裏側から締結されることによって、パネル構造体１０が前扉４の裏面に取り付けられる。しかしながら、パネル構造体１０を前扉４の裏面に取り付けるためのいずれの装置であっても、作業者が両手を使用してパネル構造体１０を前扉４の裏側で開閉する構造であるため、パネル構造体１０の開閉作業が面倒であるという欠点がある。
【特許文献１】特開２００５−２７９１３１号公報
【特許文献２】特開２００４−６５８５５号公報
【特許文献３】特開２００３−１２６４７３号公報
【発明の開示】
【発明が解決しようとする課題】
【０００３】
発明が解決しようとする問題点は、パネル構造体の開閉作業が面倒であるという点である。
【課題を解決するための手段】
【０００４】
本発明に係る遊技機枠のパネル枠取付装置は、窓が前扉に前後方向に貫通するように形成され、前扉の裏面にはパネル構造体が左側部を中心とし前扉の裏側で後側に開かれかつ前側に閉じられるように設けられ、パネル構造体が前扉の裏側で閉じられることによって窓を塞ぐ構造であって、前扉の裏面には捕捉機構または被捕捉部が設けられ、パネル構造体には被捕捉部または捕捉機構が設けられ、パネル構造体が前扉の裏側で前側に閉じられる場合に、前扉の捕捉機構または被捕捉部がパネル構造体の被捕捉部または捕捉機構を捕捉し、パネル構造体が前扉の裏面に開閉不能に取り付けられたことを最も主要な特徴とする。
【発明の効果】
【０００５】
本発明に係る遊技機枠のパネル枠取付装置は、前扉の裏面にはパネル構造体が左側部を中心とし前扉の裏側で後側に開かれかつ前側に閉じられるように設けられた状態において、パネル構造体が前扉の裏面に近づくように前側に押されるだけで前扉の捕捉機構または被捕捉部がパネル構造体の被捕捉部または捕捉機構を捕捉し、パネル構造体が窓を塞いで前扉の裏面に開閉不能に取り付けられるので、パネル構造体を前扉の裏面に開閉不能に取り付ける作業が簡単になるという利点がある。
【発明を実施するための最良の形態】
【０００６】
図１乃至図４は、発明を実施するための最良の形態である。図１は、パネル枠取付装置を備えた遊技機枠１を分解して示す。図２のａ図は、捕捉機構３３の外観を示す。図２のｂ図は、図２のａ図をＢ−Ｂ線に沿い切断した断面を示す。図３は、パネル構造体１０の取り付けられた遊技機枠１の外観を示す。図４は、パネル枠取付装置の作用を示す。
本明細書において、「前」、「表」、「後」、「裏」、「左」、「右」、「上」、「下」の方向は、図１の状態に遊技機枠１およびパネル構造体１０を置いて矢印Ａで示す前側から見た場合に特定される方向である。「前」および「表」は、同じ方向である。「後」および「裏」は、同じ方向である。
【０００７】
図１を参照し、パチンコ遊技機の遊技機枠１を例としてパネル枠取付装置を備えた遊技機枠１の構造について説明する。パネル枠取付装置は、遊技機枠１にパネル構造体１０を取り付けるための装置であって、最良の形態の場合、捕捉機構３３と取付部３４および被捕捉部３５で構成される。遊技機枠１は、固定枠２の前側に可動枠３を開閉可能に備え、可動枠３の前側に前扉４および皿構造体５を開閉可能に備える。可動枠３は、左側に位置するヒンジ６を中心とする片開き可能であって、球発射機構７、施錠装置８、盤収容部１７、中央開口部１８、盤後側押出部１９、盤前側受止部２０、盤掛止操作体２１、掛止機構２２；２３；２４および掛止解除操作体２５を備える。盤収容部１７は、図外の遊技盤を可動枠３の前側から格納させるように、前側に開口した方形な箱形である。中央開口部１８は、盤収容部１７の背壁に、前後方向への貫通孔として形成される。盤後側押出部１９は、遊技盤を前側に押す板ばねのような弾性体である。盤前側受止部２０は、盤後側押出部１９で前側に押された遊技盤を受け止める突起である。盤後側押出部１９が後側で盤前側受止部２０が前側となるように、盤後側押出部１９および盤前側受止部２０が盤収容部１７の左側部に設けられる。盤掛止操作体２１は、盤収容部１７の背壁から前側に突出し、盤収容部１７の背壁と平行な方向に回転可能に、盤収容部１７の右側部に設けられる。施錠装置８、掛止機構２２；２３；２４、掛止解除操作体２５は、可動枠３の右側部に設けられる。皿構造体５の裏面には、球取込口２６および球供給口２７を備える。
【０００８】
そして、可動枠３が閉じられて固定枠２に掛止機構２２で開閉不能に支持され、前扉４および皿構造体５が閉じられて可動枠３に掛止機構２３；２４で開閉不能に支持された状態において、遊技店の作業者が図外のキープレート（鍵）を遊技機枠１の前側から施錠装置８の鍵穴に挿入し、当該キープレートを例えば右側に９０度回転操作すると、固定枠２と可動枠３との掛止機構２２による支持形態が解除される。その支持形態の解除後に、作業者が可動枠３を前側に引くことによって、可動枠３はヒンジ６を中心として前側に片開きされる。また、上記施錠装置８の鍵穴に挿入されたキープレートが例えば左側に９０度回転操作されると、可動枠３と前扉４との掛止機構２３による支持形態が解除される。その支持形態の解除後に、作業者が前扉４を前側に引くことによって、前扉４は図外のヒンジを中心として前側に片開きされる。その状態において、作業者が掛止解除操作体２５を前側から後側に押すように操作すると、可動枠３と皿構造体５との掛止機構２４による支持形態が解除される。その支持形態の解除後に、作業者が皿構造体５を前側に引くことによって、皿構造体５は図外のヒンジを中心として前側に片開きされる。
【０００９】
前扉４は、左側に位置する図外のヒンジを中心とした片開き可能であって、窓９、パネル後側押出部３１、パネル前側受止部３２、捕捉機構３３を備える。パネル後側押出部３１は、パネル構造体１０を前側に押す板ばねのような弾性体である。パネル前側受止部３２は、パネル後側押出部３１で前側に押されたパネル構造体１０を受け止める突起である。パネル後側押出部３１が後側でパネル前側受止部３２が前側となるように、パネル後側押出部３１およびパネル前側受止部３２が窓９よりも左側に位置し前扉４の裏面に設けられる。捕捉機構３３は、キャッチャーとも呼ばれ、前扉４に対し閉じられたパネル構造体１０を開かないように捕捉するものである。捕捉機構３３の構造は、図２で詳述する。パネル構造体１０は、前パネル１１と後パネル１２とを互いに前後方向に隙間を介在させるように相対峙してフレーム１３で支持した形態であって、フレーム１３に取付部３４および被捕捉部３５を備える。取付部３４は、パネル後側押出部３１とパネル前側受止部３２との間に差し込まれるものであって、フレーム１３から左側に突出するように、フレーム１３の左側部に設けられる。被捕捉部３５は、捕捉機構３３で捕捉されるものであって、フレーム１３から右側に突出するように、フレーム１３の右側部に設けられる。
【００１０】
図２を参照し、捕捉機構３３の構造について説明する。図２のａ図に示すように、捕捉機構３３は、支持部４１、可動体４２、ばね４３、永久磁石４４を備える。支持部４１は、可動体４２を間に配置し得る隙間を介在させて相対峙した一対であって、前扉４から裏側に突出するように、前扉４の裏面に設けられる。支持部４１には、支持孔４５が設けられる。支持孔４５は、支持部４１の相対峙する方向に貫通し、支持部４１の相対峙する方向と直交する方向に可動体４２の軸５０を移動し得る長孔として構成される。可動体４２は、押出部４６、押圧部４７、操作部４８、要部４９、軸５０を備える。押出部４６は、パネル構造体１０で前扉４の裏面に近づく方向である前側に押されるものであって、永久磁石４４に吸い付けられる材料で構成される。押圧部４７は、パネル構造体１０を前扉４の裏面に近づく方向である前側に押すものである。操作部４８は、作業者が操作するためのものである。押出部４６と押圧部４７および操作部４８は、要部４９から要部４９の径方向外側に放射状に突出する。軸５０は、要部４９から要部４９の軸心方向の両側に突出する。そして、要部４９が一対の支持部４１の間に配置され、軸５０が支持孔４５に個別に挿入されることによって、可動体４２が一対の支持部４１に装着される。ばね４３は、一対のコイルばねのようなばねである。ばね４３の一端部が軸５０に係留され、ばね４３の他端部が前扉４の裏面に設けられたばね止部５１に係留される。これによって、ばね４３は、可動体４２をばね止部５１の側に引っ張るようなばね力を軸５０に与える。図２のｂ図に示すように、永久磁石４４は、押出部４６を磁気で吸着するものであって、前扉４の裏面に固定される。
【００１１】
図３および図４を参照し、遊技機枠１のパネル枠取付装置の作用について説明する。先ず、パネル構造体１０を前扉４に取り付ける場合について説明する。図３に示すように、パネル構造体１０が例えば作業者で支持され、前パネル１１が前扉４の裏面に向けられ、取付部３４が左側に配置され、被捕捉部３５が右側に配置された状態において、パネル構造体１０が前扉４の裏面に近づけられ、取付部３４が右側からパネル後側押出部３１とパネル前側受止部３２との間の隙間に差し込まれる。その後、図４のａ図に示すように、パネル構造体１０の右側部が前扉４の裏面の側に近づくように、パネル構造体１０が例えば作業者によって前側に押される。これに伴い、パネル構造体１０がパネル後側押出部３１とパネル前側受止部３２との間に挟まれた取付部３４を中心とし前側に回転する。そして、被捕捉部３５が前扉４に近づきながら押出部４６を後側から前側に押し出す。これによって、図４のｂ図に示すように、押出部４６が被捕捉部３５で前側に押されるのに伴い、可動体４２が支持孔４５に嵌め込まれた軸５０を中心として前側に回転し、被捕捉部３５が押出部４６と押圧部４７との間の隙間に入り込む。その際、可動体４２が被捕捉部３５でばね止部５１から離れる方向に押された場合、軸５０が支持孔４５の内部をばね止部５１から離れる方向に移動し、ばね４３が伸びることによって、被捕捉部３５が押出部４６と押圧部４７との間の隙間に取り込まれる。
【００１２】
さらに、パネル構造体１０が例えば作業者によって前側に押されると、図４のｃ図に示すように、押出部４６が被捕捉部３５で前側に押されて前扉４の裏面に最も近づいて永久磁石４４に吸着され、押圧部４７が被捕捉部３５に裏側から覆い被さり、操作部４８が前扉４の裏面から最も離れ、ばね４３が縮まって可動体４２を前側に付勢する。よって、パネル構造体１０が前扉４の裏面に対し閉じられ、前パネル１１の前面が前扉４における窓９の周縁部の裏面に接触し、前パネル１１（図１参照）が窓９を塞ぐ。つまり、取付部３４が右側からパネル後側押出部３１とパネル前側受止部３２との間の隙間に差し込まれた状態において、パネル構造体１０が裏側から前側に押されることによって、被捕捉部３５が押出部４６を前側に押しつつ押出部４６と押圧部４７との間に取り込まれた後、可動体４２が被捕捉部３５で前側に押されて軸５０を中心として前側に回転して永久磁石４４に吸着され被捕捉部３５を捕捉し、パネル構造体１０が窓９を塞いで前扉４の裏面に開閉不能に取り付けられる。要するに、取付部３４が右側からパネル後側押出部３１とパネル前側受止部３２との間の隙間に差し込まれたことよって、前扉４の裏面にはパネル構造体１０が左側部を中心とし前扉４の裏側で後側に開かれかつ前側に閉じられるように設けられた状態となる。その状態において、パネル構造体１０が裏側から前側に押されるだけで、捕捉機構３３が被捕捉部３５を捕捉し、パネル構造体１０が窓９を塞いで前扉４の裏面に開閉不能に取り付けられるので、パネル構造体１０を前扉４の裏面に閉じる作業が簡単になるという利点がある。
【００１３】
次に、図４のｃ図に示すように、捕捉機構３３が被捕捉部３５を捕捉し、パネル構造体１０が窓９を塞いで前扉４の裏面に取り付けられた状態において、パネル構造体１０を前扉４から取り外す場合について説明する。作業者が、パネル構造体１０の裏側から操作部４８を矢印Ｘ２で示すように前側に押す。これによって、図４のｂ図に示すように、押出部４６が前扉４の裏側に離れるように、可動体４２が軸５０を中心として前扉４の裏側に回転し、永久磁石４４による押出部４６の吸着が解除される。その後、図４のａ図に示すように、ばね４３が可動体４２を前側に付勢し、操作部４８が前扉４の裏面に最も近づいて支持される。これによって、パネル構造体１０が窓９を開放し前扉４から裏側に取り外される。要するに、捕捉機構３３が被捕捉部３５を捕捉し、パネル構造体１０が窓９を塞いで前扉４の裏面に取り付けられた状態において、操作部４８が裏側から前側に押されるだけで、捕捉機構３３が被捕捉部３５を解放し、パネル構造体１０が窓９を開放するように前扉４から裏側に開かれるので、パネル構造体１０を前扉４から裏側に開く作業が簡単になるという利点がある。
【産業上の利用可能性】
【００１４】
図２において、ばね４３または永久磁石４４のいずれか一方を取り外しても、捕捉機構３３が被捕捉部３５を捕捉し、パネル構造体１０が窓９を塞いで前扉４の裏面に開閉不能に取り付けられる。
【００１５】
図５は、異なる第１の形態に係る遊技機枠１のパネル枠取付装置を示す。異なる第１の形態の場合、パネル枠取付装置は、捕捉機構３３と被捕捉部３５と扉側ヒンジ５３およびパネル側ヒンジ５４で構成される。つまり、異なる第１の形態は、パネル構造体１０が左側部を中心とし前扉４の裏側で後側に開かれかつ前側に閉じられるように前扉４の裏面に設けられる構造として、扉側ヒンジ５３とパネル側ヒンジ５４とからなるヒンジで構成する。つまり、パネル構造体１０が前扉４に扉側ヒンジ５３とパネル側ヒンジ５４とからなるヒンジで片開き可能に支持される。扉側ヒンジ５３は、前扉４の左側に位置し、前扉４の裏面に設けられる。扉側ヒンジ５３は、ヒンジブラケット５５およびヒンジ孔５６を備える。ヒンジブラケット５５は、前扉４の裏面に取り付けられる。ヒンジ孔５６は、ヒンジブラケット５５における前扉４から裏側に突出した部分に、上下方向への貫通孔として設けられる。パネル側ヒンジ５４は、パネル構造体１０の左に位置し、フレーム１３の取付部３４に設けられる。パネル側ヒンジ５４は、ヒンジブラケット５７およびヒンジピン５８を備える。ヒンジブラケット５７は、取付部３４の左側部に取り付けられる。ヒンジピン５８は、ヒンジブラケット５７における取付部３４から左側に突出した部分に下方に突出するように設けられる。パネル構造体１０が前扉４に取り付けられる場合、パネル構造体１０が作業者に支持され、前パネル１１が前扉４の裏面に向けられ、取付部３４が左側に配置され、被捕捉部３５が右側に配置された状態において、パネル構造体１０が前扉４の裏面に近づけられ、ヒンジピン５８が上方からヒンジ孔５６に嵌め込まれる。その後、パネル構造体１０が前側に押され、捕捉機構３３が被捕捉部３５を捕捉し、パネル構造体１０が窓９を塞いで前扉４の裏面に取り付けられる。この場合、ヒンジピン５８が上方からヒンジ孔５６に嵌め込まれているので、パネル構造体１０が前扉４に扉側ヒンジ５３およびパネル側ヒンジ５４からなるヒンジで適切に支持されているという利点がある。
【００１６】
図６乃至図９は、異なる第２の形態である。図６は、パネル枠取付装置を備えた遊技機枠１を示す。図７は、パネル枠取付装置を分解して示す。図８は、捕捉機構６０を分解して示す。図９は、捕捉機構６０が被捕捉部を捕捉する形態を示す。
【００１７】
図６に示すように、異なる第２の形態の場合、パネル枠取付装置は、扉側ヒンジ５３とパネル側ヒンジ５４と捕捉機構６０および被捕捉部６１で構成される。図７に示すように、前扉４には、捕捉機構６０を取り付けるための捕捉取付孔６２が、前扉４の裏面から内部への窪みとして設けられる。被捕捉部６１は、捕捉機構６０に捕捉される突起としての鉤突起６３が前側に突出して設けられる。
【００１８】
図８を参照し、捕捉機構６０の構造について説明する。図８のａ図に示すように、捕捉筐体６４、捕捉構造体６５、捕捉ばね６６、カム６７、フォロア構造体６８を備える。捕捉筐体６４は、上方に開口する捕捉収容部６９を構成する角箱形であって、カム６７、装着部７０、係留部７１、ガイド部７２を備える。装着部７０は、捕捉筐体６４の上部に、捕捉筐体６４から横方向に張り出した筒状に設けられる。係留部７１は、捕捉筐体６４の左壁および右壁に片持ち梁のように形成された弾性片により構成され、上方に行くにしたがって捕捉筐体６４から左右方向の外側に突出する。ガイド部７２は、捕捉筐体６４の後壁に、縦長な貫通孔として設けられる。カム６７は、捕捉筐体６４の前壁に、当該前壁から捕捉収容部６９に突出する突起として設けられ、突起の上面による前進案内カム部７３と、突起の下面における窪みとしての位置保持カム部７４と、突起の下面による後退案内カム部７５とを備える。
【００１９】
捕捉構造体６５は、捕捉躯体７６、捕捉腕７７、被ガイド部７８、フォロア案内部７９、ばね収容部８０を備える。捕捉躯体７６は、捕捉収容部６９に昇降可能に収容される角棒により構成される。捕捉腕７７は、捕捉躯体７６の上部から上方に突出する一対であって、捕捉躯体７６の上部から上方に行くにしたがって相対峙する方向の外側に広がる。捕捉腕７７の上部には、鉤８１が捕捉腕７７の相対峙する方向に突出する。被ガイド部７８は、捕捉躯体７６の後面に突起として構成される。フォロア案内部７９は、捕捉躯体７６に前後方向への貫通孔として設けられる。フォロア案内部７９は、捕捉躯体７６の前側から見た場合、上部が平坦面８２で下部が半円形となった、異形孔として構成される。ばね収容部８０は、捕捉躯体７６の下面とフォロア案内部７９の半円形な下部とに貫通する貫通孔として、捕捉躯体７６に設けられる。
【００２０】
捕捉ばね６６は、コイルスプリングにより構成され、捕捉躯体７６の下方からばね収容部８０に格納される。フォロア構造体６８は、カムフォロアを構成し、捕捉腕７７が図７の被捕捉部６１の鉤突起６３を掴んだ下部位置を保持するために、カム６７に接触して動くものであって、フォロア基盤８３、フォロア凸部８４、復帰凸部８５を備える。フォロア基盤８３は、直線的な棒として構成される。フォロア凸部８４は、フォロア基盤８３の下部に円柱形に設けられる。復帰凸部８５は、フォロア基盤８３の上部に設けられる。フォロア凸部８４のフォロア基盤８３から突出する方向と、復帰凸部８５のフォロア基盤８３から突出する方向とは、相反する方向である。復帰凸部８５は、上部が平坦面８６で下部が半円形となった、異形突起として構成される。図８のｂ図に示すように、復帰凸部８５の平坦面８６を水平に置かれた面と仮定し、平坦面８６と直交する垂線をＬ１とすると、平坦面８６はフォロア基盤８３の上下方向に延びる中心線Ｌ２と斜めに交差する。垂線Ｌ１と中心線Ｌ２との間には、鋭角なる挟角θ１と、鈍角なる挟角θ２とが形成される。挟角θ１＋挟角θ２＝１８０度である。
【００２１】
捕捉機構６０の組立方について説明する。捕捉ばね６６が捕捉筐体６４の上部から捕捉収容部６９に挿入され、捕捉ばね６６の下端部が捕捉収容部６９の底部から上方に突出した図外の支柱に外嵌装着される。復帰凸部８５が捕捉筐体６４におけるガイド部７２の設けられた側壁に対向する１つの側壁の外側からフォロア案内部７９に挿入され、フォロア基盤８３が捕捉筐体６４におけるガイド部７２の設けられた側壁に対向する１つの側壁に接触され、フォロア凸部８４が下部に配置されかつ捕捉筐体６４におけるガイド部７２の設けられた側壁に対向する１つの側壁から離れる方向に配置され、フォロア構造体６８が捕捉躯体７６の前側に取り付けられる。捕捉腕７７が上方に向けられ、捕捉躯体７６が捕捉筐体６４の上方から装着部７０の内部を経由して捕捉収容部６９に挿入され、捕捉ばね６６の上端部がばね収容部８０に下方から格納され、被ガイド部７８が捕捉収容部６９からガイド部７２に挿入される。これによって、捕捉構造体６５と捕捉ばね６６およびフォロア構造体６８が捕捉筐体６４の内部に格納され、捕捉ばね６６が復帰凸部８５を下方から上方に押し上げるように付勢し、復帰凸部８５の平坦面８６がフォロア案内部７９の平坦面８２に重なり合うように全面的に接触し、フォロア凸部８４が捕捉筐体６４の上下方向に延びる中心線（図８のｂ図の垂線Ｌ１に相当する）よりも右側に配置され、フォロア凸部８４がカム６７の前進案内カム部７３よりも上方に位置して前進案内カム部７３と対向し、捕捉機構６０が図７に示す形状に構成される。
【００２２】
図９乃至図１２を参照し、捕捉機構６０が被捕捉部６１を捕捉したり解放したりする動作について説明する。図９において、パネル構造体１０が作業者によって前扉４の裏面の側である矢印Ｘ３で示す方向である前側に押される。これに伴い、図１０に示すように、被捕捉部６１の鉤突起６３が捕捉躯体７６の後面に接触して捕捉躯体７６を前方に押し、被ガイド部７８がガイド部７２で直線的に前側に案内され、捕捉躯体７６が捕捉ばね６６を圧縮しつつフォロア構造体６８を前方に押す。これによって、フォロア凸部８４が前進案内カム部７３を矢印Ｘ４で示す方向に滑走し、フォロア構造体６８が復帰凸部８５を中心として左側に回転する。引き続き、図１１に示すように、パネル構造体１０の矢印Ｘ３で示す方向への前進が進行し、捕捉躯体７６の前進が進行すると、捕捉腕７７が装着部７０に接触しつつ下降して互いに相対峙する方向（内側）に閉じ、鉤８１が鉤突起６３を抱え持つように捕捉し、フォロア凸部８４が前進案内カム部７３を前側に通過するのに伴い、復帰凸部８５が捕捉ばね６６からの突き上げる力によって矢印Ｘ５で示す方向に回転し、フォロア凸部８４が位置保持カム部７４に到達する。この状態において、人がパネル構造体１０から前側に押す力を解除すると、捕捉構造体６５が鉤突起６３を捕捉したままパネル構造体１０の側に移動しないようにその位置に停止し、パネル構造体１０が図６の窓９を塞いで前扉４の裏面に開閉不能に取り付けられる。要するに、図６において、パネル構造体１０が前扉４に扉側ヒンジ５３およびパネル側ヒンジ５４からなるヒンジで支持された状態において、パネル構造体１０が裏側から前側に押されるだけで、捕捉機構６０が被捕捉部６１を捕捉し、パネル構造体１０が窓９を塞いで前扉４の裏面に取り付けられるので、パネル構造体１０を前扉４の裏面に閉じる作業が簡単になるという利点がある。
【００２３】
次に、図１２において、パネル構造体１０が作業者によって矢印Ｘ３で示す方向にさらに押されると、捕捉構造体６５も前進し、フォロア凸部８４が位置保持カム部７４を前側に通過するのに伴い、復帰凸部８５が捕捉ばね６６からの突き上げる力によって矢印Ｘ５で示す方向にさらに回転し、フォロア凸部８４が後退案内カム部７５に到達する。その後、人がパネル構造体１０から矢印Ｘ３で示す方向への押す力を解除すると、パネル構造体１０および捕捉構造体６５が捕捉ばね６６からの突き上げる力によって裏側に後退し、フォロア凸部８４が後退案内カム部７５を矢印Ｘ６で示す方向に滑走する。さらに、フォロア凸部８４が後退案内カム部７５を右側に通過するのに伴い、復帰凸部８５が捕捉ばね６６からの突き上げる力によって矢印Ｘ５で示す方向の逆方向に回転し、パネル構造体１０および捕捉構造体６５が図９に示す初期の形態に戻り、鉤８１による鉤突起６３の捕捉が解除される。これによって、パネル構造体１０が図６に示す窓９を開放し前扉４から裏側に取り外される。要するに、図６において、捕捉機構６０が被捕捉部６１を捕捉し、パネル構造体１０が窓９を塞いで前扉４の裏面に取り付けられた状態において、パネル構造体１０が裏側から前側に押されるだけで、パネル構造体１０が窓９を開放するので、パネル構造体１０を前扉４から裏側に開く作業が簡単になるという利点がある。
【００２４】
図６において、パネル構造体１０を前扉４に支持する構造として、扉側ヒンジ５３およびパネル側ヒンジ５４からなるヒンジに代え、図１に示すパネル後側押出部３１とパネル前側受止部３２および取付部３４からなる差込構造を使用してもよい。捕捉機構６０に代わる永久磁石を使用した捕捉機構と、鉤突起６３に代わる鉄のような強磁性体とを使用し、パネル構造体１０が前扉４の側に１回押されると、捕捉機構の永久磁石が強磁性体を吸着し、その状態において、パネル構造体１０が前扉４の側にもう１回押されると、捕捉機構の永久磁石による強磁性体の吸着が解放される構造でも、同様に適用できる。
【図面の簡単な説明】
【００２５】
【図１】遊技機枠の分解斜視図（最良の形態）。
【図２】ａ図は捕捉機構の斜視図、ｂ図はａ図のＢ−Ｂ線断面図（最良の形態）。
【図３】遊技機枠の斜視図（最良の形態）。
【図４】パネル枠取付装置の作用説明図（最良の形態）。
【図５】遊技機枠の分解斜視図（異なる第１形態）。
【図６】遊技機枠の斜視図（異なる第２形態）。
【図７】パネル枠取付装置の分解斜視図（異なる第２形態）。
【図８】ａ図は捕捉機構の分解斜視図、ｂ図はフォロア構造体の正面図（異なる第２形態）。
【図９】パネル枠取付装置の作用説明図（異なる第２形態）。
【図１０】パネル枠取付装置の作用説明図（異なる第２形態）。
【図１１】パネル枠取付装置の作用説明図（異なる第２形態）。
【図１２】パネル枠取付装置の作用説明図（異なる第２形態）。
【図１３】遊技機枠の正面図（従来）。
【符号の説明】
【００２６】
１    遊技機枠
４    前扉
９    窓
１０  パネル構造体
３１  パネル後側押出部
３２  パネル前側受止部
３３  捕捉機構
３４  取付部
３５  被捕捉部
【図１】
2007236501.tif 000003
【図２】
2007236501.tif 000004
【図３】
2007236501.tif 000005
【図４】
2007236501.tif 000006
【図５】
2007236501.tif 000007
【図６】
2007236501.tif 000008
【図７】
2007236501.tif 000009
【図８】
2007236501.tif 000010
【図９】
2007236501.tif 000011
【図１０】
2007236501.tif 000012
【図１１】
2007236501.tif 000013
【図１２】
2007236501.tif 000014
【図１３】
2007236501.tif 000015